(57)【特許請求の範囲】
【請求項１】
収集した表土を変質を防止しつつ保管するための表土保全装置であって、外筒と内筒からなる二重管構造とされ、保管対象の表土中に立設状態で埋設されることによりその底部が表土の底部に設けられた底部排水層に連通するとともに頂部は表土上に突出するものとされ、前記外筒はその周面に通気および通水可能な多数の小孔が形成された有孔管からなるとともに、該外筒の頂部は開放されて外気取入口とされ、前記内筒は前記外筒の内部に同軸的に配設されてそれら外筒と内筒との間に外部通気路が確保されているとともに、該内筒自身が内部通気路を構成して、該内筒の底部には前記外部通気路と外部通気路とを連通する連通路が形成され、かつ、該内筒の頂部には自然排気扇が設けられてなることを特徴とする表土保全装置。
【請求項２】
収集した表土の変質を請求項１記載の表土保全装置により防止しつつ保管するための表土保全方法であって、保管場所の地盤上に底部排水層を設け、該底部排水層上に保管すべき表土を投入することにより、該表土を所定高さで堤状に長く山積みして少なくともその両側面を法面となすとともに、その表土中に中心部から法面にかけて下がり勾配となる中間排水層を高さ方向に所定間隔をおいて複数積層し、それら堤状に長く山積みした表土を複数列並べてそれら表土中に前記表土保全装置をそれぞれ所定間隔で埋設し、その状態で表土を所定期間保管することを特徴とする表土保全方法。
【発明の詳細な説明】
【０００１】
【発明の属する技術分野】
本発明は表土を保全するための装置と、それを用いて表土を保全するための方法に関する。
【０００２】
【従来の技術】
周知のように、表土すなわち地盤表層部の土壌は、地域の自然生態系が長年にわたって自ら作り上げたものであって、近年、その重要性が認識されるようになってきている。従来、たとえば宅地造成や大規模な土木・建築工事を行うに際しては表土に対する配慮は特になされないことが通常であったが、最近では開発区域内の在来の表土を消滅させたりあるいは損うことなくそれをそのまま残置したりあるいは転用することで、それを有効に活用したいという機運がある。
【０００３】
ところで、表土を有効に活用するためには、工事着手時点で開発区域内の表土を収集し、工事がほぼ完了するまでの一定期間、保管しておく必要が生じることがある。その場合、不用意な保管を行うと表土の変質が生じることが懸念され、したがって表土保管に際してはその変質を防止して本来の特質が損われてしまうことのないような保全対策が必要であると考えられている。しかし、現時点においてはこのような場合に適用し得る表土保全技術は確立されておらず、従来においては単に表土を保管場所に一定の厚みでべた積みして一定期間そのまま保管していることが実情である。ただし、表土を余り厚く積み上げたり、保管期間が余り長期に及ぶと、表土内部に対する通気性や通水性が損われて嫌気化してしまうことは知られており、したがって従来においては積み上げ高さを１〜１．３ｍ程度を限度とし、かつ保管期間を３〜６か月程度を限度としていることが通常である。
【０００４】
【発明が解決しようとする課題】
しかしながら、上記のように積み上げ高さを１〜１．３ｍ程度に制限すると多量の表土を保管する必要がある場合には保管場所の所要面積が膨大になって用地確保が困難な場合が多いし、また保管期間が６か月程度であると工事期間が長期に及ぶ場合には適用できないものである。このため、従来における上記のような表土保全技術は、保管すべき表土の量がさほど多くなくかつ工事期間も短い小規模開発の場合には適用できるものの、それをそのまま大規模開発の場合に適用することはできないものであった。
【０００５】
上記事情に鑑み、本発明は大規模開発に際しても表土の有効活用を可能とするべく、表土の保管スペースを削減でき、かつ表土を長期にわたって保管することが可能な有効な表土保全装置と、それを用いた表土保全方法を提供することを目的とする。
【０００８】
【課題を解決するための手段】
請求項１記載の発明の表土保全装置は、収集した表土を変質を防止しつつ保管するためのものであって、外筒と内筒からなる二重管構造とされ、保管対象の表土中に立設状態で埋設されることによりその底部が表土の底部に設けられた底部排水層に連通するとともに頂部は表土上に突出するものとされ、前記外筒はその周面に通気および通水可能な多数の孔が形成された有孔管からなるとともに、該外筒の頂部は開放されて外気取入口とされ、前記内筒は前記外筒の内部に同軸的に配設されてそれら外筒と内筒との間に外部通気路が確保されているとともに、該内筒自身が内部通気路を構成して、該内筒の底部には前記外部通気路と外部通気路とを連通する連通路が形成され、かつ、該内筒の頂部には自然排気扇が設けられてなることを特徴とする。
請求項２記載の発明の表土保全方法は、収集した表土の変質を請求項１記載の発明の表土保全装置により防止しつつ保管するための表土保全方法であって、保管場所の地盤上に底部排水層を設け、該底部排水層上に保管すべき表土を投入することにより、該表土を所定高さで堤状に長く山積みして少なくともその両側面を法面となすとともに、その表土中に中心部から法面にかけて下がり勾配となる中間排水層を高さ方向に所定間隔をおいて複数積層し、それら堤状に長く山積みした表土を複数列並べてそれら表土中に前記表土保全装置をそれぞれ所定間隔で埋設し、その状態で表土を所定期間保管することを特徴とする。
【０００９】
【発明の実施の形態】
以下、本発明の実施形態を説明する。本実施形態の表土保全方法は、大規模な開発工事を行うに際して開発区域内の表土を開発後においても有効に活用するべく、それを保全しつつ保管するために適用されるものである。保管すべき表土は開発区域の地盤の表層部の厚み３０〜５０ｃｍ程度の部分とし、これを収集するに際してはバックホーやダンプカー等の重機が保管対象の表土上を縦走して締め固めてしまうことのないように留意する。
【００１０】
本実施形態の表土保全方法は、収集した表土を従来のように単に平面的にべた積みするのではなく、図１に示すように表土１を山積みした状態で保管するようにしたものである。特に本例では、両側面が法面（傾斜面）１ａ，１ａとなるような一方向に長い堤状（土手状）に表土１を山積みするようにしており、かつ、そのような堤状に山積みした表土１を作業通路２を挟んでほぼ平行に複数設けるようにしている。
【００１１】
より具体的に説明すると、まず、表土１を山積みするべき保管場所の地盤上に砂利や砕石を敷き詰める等して一方向に長い底部排水層３を間隔をおいて略平行に設けておき、かつ、それらの間にバックホー４およびダンプカー等の重機が走行し得る作業通路２を確保する。なお、底部排水層３の厚みはたとえば３０ｃｍ程度とし、必要に応じてその底部排水層３から集水して排水するための暗渠等の排水管路を適宜設ければ良い。
【００１２】
そして、収集した保管対象の表土１をダンプカーにより保管場所まで搬送してきて底部排水層３上に投入し、バックホー４により山積みしていく。この際、ダンプカーやバックホー４が保管場所内に入り込まないように留意し、それらの重機が保管場所に積み上げた表土１に乗りあげて表土１を締め固めてしまうことを避ける。
【００１３】
そのようにして表土１を投入して山積みしていくと表土１は自ずと堤状になり、その両側面は自然に法面１ａとなる。そして、表土１の高さが１ｍ程度となったら平面排水材５をその表面全体に敷設することで中間排水層を形成する。平面排水材５は山積みした表土１内部からの排水を促進し、かつ通気性を確保するためのもので、たとえば不織布からなる汎用製品を用いれば良い。なお、平面排水材５は、図示するように中央部から法面にかけて若干下がり勾配となるように設けることで排水をより効率的に行うことができる。
【００１４】
上記の平面排水材５を敷設したらその上部にさらに表土１を山積みしていき、それを繰り返すことでたとえば高さ方向に１ｍ程度の間隔をおいて複数の中間排水層を順次埋設した状態で、最終的に表土１を高さ４ｍ程度にまで積み上げる。なお、上述したように表土１を積み上げて行くに際しては重機による締め固めを避ける必要があるが、積み上げ完了後に法面１ａや上面１ｂを軽く抑えて崩落を防止する程度のことは支障ない。そして、必要であれば、山積みした表土１の表面全体を緑化するべく種子の吹付けを行う。あるいは、Ａ0層と言われる最上層の表土を収集してそれを表面全体に薄く撒くことがより好ましい。
【００１５】
以上の状態で表土１を保全しつつ所定期間の保管を行い、工事完了段階に致ったら、山積みしていた表土１をバックホー４によりダンプカーに積み込み、それを使用する場所まで搬送してそこに３０〜５０ｃｍ程度の厚みとして敷き均せば良い。なお、この際も重機による表土の締め固めは避けるように留意する。
【００１６】
本実施形態の保全方法によれば、表土１を底部排水層３上に山積みしてその周囲を法面１ａとした状態で保管するので、底部排水層３により良好な排水性が確保されるとともに、法面１ａを通しての通水性および通気性が確保され、したがって表土１を単に現状地盤上にべた積みする従来一般の場合に比較すると内部の嫌気化が生じ難く、表土の変質が生じ難いものとなる。しかも、本方法では作業通路２から表土１を投入することで表土１を山積みする際に重機による締め固めを避けるようにしており、また表土を収集する際にも同様に重機による締め固めを避けるようにしているので、そのようなことについては特に配慮されていない従来一般の場合に比較して保全すべき表土が圧密されてしまう懸念が少なく、そのため、従来よりも表土を高く積み上げることが可能となり、また長期に及ぶ保全が可能となる。
【００１７】
特に、上記のように、山積みした表土１内に所定間隔おきに中間排水層としての平面排水材５を設けるとともに、その平面排水材５を法面１ａ側が下がり勾配となるようにしたことにより、それら平面排水材５により表土１中からの排水を確実かつ効率的に行うことができるから表土内における通水性、通気性を充分に確保でき、したがって積み上げ高さを従来の３〜４倍程度の４ｍ程度としても支障がなく、その結果、表土の保管スペースを作業通路２を含めても従来の１／３程度にまで削減できる。また、同様の理由により保管期間を１年程度としても支障がなく、そのため、従来においては適用不可能であった大規模開発に際しても適用可能となる。
【００１８】
なお、上記では作業通路２を挟んでその両側に表土１を山積みするものとしたが、上記の作業通路２の部分にも表土１を山積みすることも可能である。すなわち、たとえば図２（ａ）に示すように底部排水層３を作業通路２の部分も含めて保管場所全体にわたって予め設けておき、（ｂ）に示すように上記と同様にして作業通路２上からその両側に表土１を山積みした後、作業通路２の前方側から手前側に向けて重機を後退させつつ順次表土１を山積みしていくことにより、最終的に（ｃ）に示すように作業通路２の部分も含めて３列に山積みすることができ、所要スペースをより節約できる。あるいは図３（ａ）〜（ｃ）に示すように保管場所の片側から他方側へ順次山積みしていくことでも良い。勿論、図示しているように３列に限ることはなく、同様の手順によりさらに多数例に山積みすることもできる。いずれにしても、山積みする際には重機が表土１に乗り上げて締め固めることは避けるべきである。また、上記の場合、隣接して山積みされた各表土１の法面１ａどうしが過度に接近してしまうと通気性や通水性が損われる場合もあるから、そのようなことがないように各法面１ａ間に適度の間隔を確保する必要がある。
【００１９】
また、上記では表土１を堤状に長く山積みするようにしたのであるが、そうすることに限るものではなく、状況によっては表土を文字どうり単なる山のような状態で積み上げるようにしても良い。その場合は堤状に長く山積みする場合に比較すると保管スペースは増大するが、山積みされた表土の全周囲が法面１ａとなるから通気性や通水性を確保する上ではより有利となる。その場合、そのような山積みした表土を互いの法面が過度に接近しない程度の間隔を保持して多数並べて設ければ良い。
【００２０】
また、上記では山積みした表土内に平面排水材５を敷設することで複数層の中間排水層を設けたが、本方法では基本的に底部排水層３による良好な排水性が確保されるとともに法面１ａを通しての通水性と通気性が確保されるから、従来のべた積みする場合に比較すると自ずと通水性と通気性に優れるものであり、したがって、山積み高さがさほど高くなくまた保管期間が短期であるような場合には中間排水層を省略することも可能であり、その場合においても従来のべた積みの場合に比較して積み上げ高さを大きくできかつ保管期間を長くすることが可能である。
【００２１】
また、上記の中間排水層としては不織布等の平面排水材５に限らず種々のものが採用可能であるし、そのような中間排水層を設けることに代えて、あるいはそれに加えて、表土中における通気性および通水性をさらに高めるための本実施形態の表土保全装置を用いる。
【００２２】
図４はそのような表土保全装置の好適な一例を示すものである。この表土保全装置１０は、外筒１１と内筒１２からなる二重管構造とされ、山積みされた表土中に立設状態で埋設されることによりその底部が底部排水層３に連通するとともに頂部は表土上に突出するようにされたものである。
【００２３】
外筒１１はたとえば３００ｍｍ径の塩化ビニル製の有孔管であって、その周面には通気および通水可能な２０ｍｍ径程度の小孔１３が周面４００ｃｍ2につき１個程度の密度で多数形成されており、その頂部は開放されて外気取入口１４となっている。内筒１２はたとえば２００ｍｍ径の通常の塩化ビニル管であって、上記外筒１１の内部に同軸的に配設されることにより、それら外筒１１と内筒１２との間に外部通気路１５が確保され、かつ内筒１２自身が内部通気路１６を構成しており、その内筒１２の底部には外部通気路１５と内部通気路１６とを連通する連通路１７が形成されている。また、外筒１１および内筒１２の下端は底板１８により塞がれ、その底板１８には排水孔１９が形成されている。
【００２４】
そして、内筒１２の頂部には自然排気扇２０が設けられており、その自然排気扇２０が自然の風力を受けて回転することにより、図中に矢印で示すように、外気取入口１４より取り入れられた外気が外部通気路１５内を流下し、連通路１７から内部通気路１６に流入してその内部を上昇し、自然排気扇２０により排気されるという空気流が喚起されるようになっている。
【００２５】
このような構成の表土保全装置１０によれば、外筒１１の周面に形成されている小孔１３を通じて表土中の水が外筒１１内に流入し、排水孔１９から底部排水層３に速やかに排水される。また、上記小孔１３を通じて表土に対するガス交換がなされ、表土中の二酸化炭素が上記空気流により排出されるとともに酸素が表土中に供給される。
【００２６】
したがって、この装置１０を山積みした表土１内に所定間隔たとえば２ｍ間隔で埋設することにより内部の嫌気化を充分に抑制でき、その結果、山積み高さをより大きくし、保管期間を２年程度にまで延長することが可能となる。そして、この装置１０は動力が不要であるから運転費が不要であるとともに保守も不要であり、また構成が簡単であるので安価に製作でき、さらに、適宜継ぎ足すことで全長を容易に延長できるから山積み高さが高くなった場合にも容易に対応できるものであり、上記の保全方法に適用するものとして好適である。
【００２７】
なお、上記の装置１０を表土中に埋設するには、予め本装置１０を底部排水層３上に立設しておいてその周囲に表土１を山積みしていけば良いが、あるいは、表土を所定高さに山積みした後にその表土に対して適宜孔を形成してその孔内に本装置１０を挿入するか、もしくは可能であれば孔を形成することなく本装置１０を表土中に押し込んだり打込むこととすれば良い。また、外筒１１周面に形成されている小孔１３を通して表土が外筒１１内に入り込むことが懸念される場合には、外筒１１の外側に目の細かいネット２１を装着すれば良い。さらに、上記装置１０は、表土を山積み状態で保管する上記方法において使用することが特に好適なものではあるが、それに限定されるものではなく、通常のように表土を単にべた積みする場合にも使用可能であることはいうまでもない。
【００３１】
【発明の効果】
本発明の表土保全装置は、有孔管からなる外筒とその内部に配設された内筒からなる二重管構造とされ、内筒の頂部に設けた自然排気扇により空気流が喚起される構成であるから、この装置により表土内からの排水が促進されるとともに表土に対するガス交換がなされ、したがって、表土内の通気性および通水性をより充分にかつ確実に高めることができ、山積み高さをより大きくし保管期間をより延長することが可能となる。しかも、この装置は動力が不要であるから運転費が不要であるとともに保守も不要であり、構成が簡単であるので安価に製作でき、さらに適宜継ぎ足すことで全長を容易に延長できるから山積み高さが高くなった場合にも容易に対応できるものであり、特に表土を山積みして保全する方法を実施するに際して採用して好適である。
また、本発明の表土保全方法は、表土を山積み状態で保管してその表土中に上記の表土保全装置を埋設することにより、表土中の通気性、通水性を確実に高めることができ、したがって山積み高さを十分に大きくでき保管期間を十分に長くすることができる。特に、保管場所の地盤上に底部排水層を設けてその底部排水層上に保管すべき表土を投入することにより、表土を底部排水層上に所定高さで山積みしてその周囲を法面となし、その状態で所定期間保管するものであるから、底部排水層により良好な排水性が確保されるとともに法面により通気性と通水性が確保され、また、保全すべき表土が重機により締め固められることを回避することが可能であり、そのため、従来よりも積み上げ高さを大きくでき、保管期間も長くすることが可能となる。また、表土を堤状に長く山積みしてその両側面を法面とするので、単に文字どうり山積みする場合に比較して保管スペースを節約でき、そのような堤状に山積みした表土を複数列設けれるので保管スペースをより節約でき、しかも山積みした表土中に中心部から法面にかけて下がり勾配となる中間排水層を高さ方向に所定間隔おきに積層するので、表土中の通気性、通水性を確実に高めることができる。
【図面の簡単な説明】
【図１】  本発明の表土保全方法の一実施形態を示す図である。
【図２】  本発明の表土保全方法の他の実施形態を示す図である。
【図３】  本発明の表土保全方法のさらに他の実施形態を示す図である。
【図４】  本発明の表土保全装置の一実施形態を示す図である。
【符号の説明】
１  表土
２  作業通路
３  底部排水層
５  平面排水材（中間排水層）
１０  表土保全装置
１１  外筒
１２  内筒
１３  小孔
１４  外気取入口
１５  外部通気路
１６  内部通気路
１７  連通路
２０  自然排気扇
【図１】
0003671321.tif 000002
【図２】
0003671321.tif 000003
【図３】
0003671321.tif 000004
【図４】
0003671321.tif 000005